(57)【要約】
【課題】被締付け物どうしを相互に固定または相対的に動くのを強固に防止することができる、座金およびそれを用いた締付け構造を提供する。
【解決手段】締め付け構造１０は、レンズ１２と、智１６と、レンズ１２の正面側から智１６の挿入部２２およびレンズ孔１４に挿入されるねじ部材１８と、レンズ１２の背面側から、ねじ部材１８に螺合されるねじ螺合部材２０と、レンズ１２と智１６との間に配置される座金２６とを含む。座金２６の一方側および他方側には、それぞれ、複数の喰込爪３２および侵入片３４が配置される。ねじ部材１８が智１６およびレンズ１２に挿入され、ねじ螺合部材２０が螺合され締め付けられたとき、喰込爪３２がレンズ１２に食い込み、侵入片３４がねじ部材１８と挿入部２２との間に侵入し、ねじ部材１８のねじ部３６ａに食い込む。
【選択図】図３
0003101302.tif 000002
【実用新案登録請求の範囲】
【請求項１】
挿入部を有する複数の被締め付け物に挿入されるねじ部材、および、前記ねじ部材に螺合されるねじ螺合部材を含む、ねじ山を用いた締め付け手段に用いられ、前記ねじ部材が複数の前記被締め付け物の挿入部に挿入された状態で、前記締め付け手段により締め付けられ結合される複数の前記被締め付け物の間、前記ねじ部材の頭部と前記被締め付け物との間、および、前記ねじ螺合部材と前記被締め付け物との間の内、少なくとも複数の前記被締め付け物の間に配置される座金であって、
前記座金は、
貫通孔を有する環状の座金本体、
前記座金本体の一方主面側で、且つ、前記被締め付け物に向いて配設される喰込爪、および
前記座金本体の他方主面側で、かつ、前記ねじ部材が挿入される前記被締め付け物の挿入部に向いて配設される侵入片を含み、
前記ねじ部材が複数の前記被締め付け物の挿入部に挿入され、前記ねじ螺合部材および／または前記ねじ部材を締め付けたとき、前記喰込爪が、前記喰込爪と対向する前記被締め付け物に食い込むと共に、前記侵入片は、前記ねじ部材と前記被締め付け物の挿入部との間に侵入し、前記ねじ部材のねじ部と前記挿入部との間に食い込むようにしたことを特徴とする、座金。
【請求項２】
挿入部を有する複数の被締め付け物に挿入されるねじ部材、
前記ねじ部材に螺合されるねじ螺合部材、および
前記ねじ部材が複数の前記被締め付け物の挿入部に挿入された状態で、前記締め付け手段により締め付けられ結合される複数の前記被締め付け物の間、前記ねじ部材の頭部と前記被締め付け物との間、および、前記ねじ螺合部材と前記被締め付け物との間の内、少なくとも複数の前記被締め付け物の間に配置される座金を含み、
前記座金は、
貫通孔を有する環状の座金本体、
前記座金本体の一方主面側で、且つ、前記被締め付け物に向いて配設される喰込爪、および
前記座金本体の他方主面側で、かつ、前記ねじ部材が挿入される前記被締め付け物の挿入部に向いて配設される侵入片を含み、
前記ねじ部材が複数の前記被締め付け物の挿入部に挿入され、前記ねじ螺合部材および／または前記ねじ部材を締め付けたとき、前記喰込爪が、前記喰込爪と対向する前記被締め付け物に食い込むと共に、前記侵入片は、前記ねじ部材と前記被締め付け物の挿入部との間に侵入し、前記ねじ部材のねじ部と前記挿入部との間に食い込むようにしたことを特徴とする、締め付け構造。
【請求項３】
縁なし眼鏡のレンズ締め付け構造に用いられる締め付け構造であって、
レンズ、
前記レンズの端縁近傍に配置され、前記レンズを貫通するレンズ孔、
前記レンズの一方主面側に配置され、前記レンズに締め付けられる智および／またはブリッジ、
前記レンズ孔と連通可能なように前記智および／または前記ブリッジに配置される挿入孔、
前記レンズの一方主面側から前記智および／または前記ブリッジの挿入部および前記レンズ孔に挿入されるねじ部材、
前記レンズの他方主面側から、前記ねじ部材に螺合されるねじ螺合部材、
前記レンズと前記智および／または前記ブリッジとの間、前記レンズと前記ねじ螺合部材との間、および、前記ねじ部材と前記智および／または前記ブリッジとの間の内、少なくとも複数の前記被締め付け物の間に配置される座金を含み、
前記座金は、
貫通孔を有する環状の座金本体、
前記座金本体の一方主面側で、且つ、前記被締め付け物に向いて配設される喰込爪、および
前記座金本体の他方主面側で、かつ、前記ねじ部材が挿入される前記被締め付け物の挿入部に向いて配設される侵入片を含み、
前記ねじ部材が複数の前記被締め付け物の挿入部に挿入され、前記ねじ螺合部材および／または前記ねじ部材を締め付けたとき、前記喰込爪が、前記喰込爪と対向する前記被締め付け物に食い込むと共に、前記侵入片は、前記ねじ部材と前記被締め付け物の挿入部との間に侵入し、前記ねじ部材のねじ部と前記挿入部との間に食い込むようにしたことを特徴とする、締め付け構造。
【請求項４】
前記ねじ螺合部材は、その内周面にねじ部を有する筒状の胴部、および、前記胴部の軸方向の一端に配設され、前記胴部の径よりも大きい環状のフランジ部を含み、
前記胴部が前記レンズ孔に挿入され、前記ねじ部材のねじ部と前記胴部のねじ部とが螺合されることにより、前記智および／または前記ブリッジに前記レンズが締め付けられ固定されることを特徴とする、請求項３に記載の締め付け構造。
【請求項５】
前記ねじ部材のねじ部は、ねじ山の頂に沿って設けられる溝部によって、前記ねじ山の頂に配設される弾性変形片を含み、前記ねじ部材のねじ部と前記胴部のねじ部とが螺合したときに、前記弾性変形片が前記胴部のねじ部のフランクに圧接されることを特徴とする、請求項４に記載の締め付け構造。
【考案の詳細な説明】
【技術分野】
【０００１】
本願考案は、座金およびそれを用いた締め付け構造に関し、たとえば縁無し眼鏡のレンズ取付構造に用いられる、座金およびそれを用いた締め付け構造に関する。
【背景技術】
【０００２】
本願考案の背景となる従来技術には、構造部材または機械部品を相互に固定したり、または、それらが相対的に動くのを防止するための装置として、たとえば１対のボルト，ナット、その他、小ねじおよび止めねじ等のねじ山を用いた締め付け手段が知られている。この場合、ボルト頭の首下や小ねじ，ナットなどの座面と被締め付け物との間には、ボルト・ナット座面の面圧と摩擦力を均一化するために、座金（ワッシャ）が配置される。この座金によって、座面に凹凸があるときやボルト穴が大きく座面が狭いときなどでも、ナット等を安定して着座させることができる。
そして、本願考案の背景となる従来技術には、たとえば１対のボルト，ナットを用いた縁無し眼鏡のレンズ取付構造がある。すなわち、この従来の縁無し眼鏡のレンズ取付構造では、眼鏡フレームのヨロイとレンズとの間、ブリッジとレンズとの間にそれぞれボルトを挿入し、レンズから突出させたボルトのねじ部にナットを螺合させたものである。この場合、ヨロイとレンズとの間、ヨロイ側のレンズとナットとの間、および、ブリッジとレンズとの間、ブリッジ側のレンズとナットとの間に、それぞれ、表裏面に食込歯，食込爪等の突起を設けたワッシャが介装される（例えば、特許文献１参照。）。
この従来の縁無し眼鏡のレンズ取付構造では、ナットを締め付けると、各座金（ワッシャ）の突起がそれに対向する相手方に食い込み、ヨロイとレンズ、ヨロイ側のレンズとナット、ブリッジとレンズ、ブリッジ側のレンズとナットとの相対的な動きが阻止され、ねじに緩みが生じるのが阻止される。
さらに、本願考案の背景となる従来の縁無し眼鏡のレンズ取付構造には、ボルトと、ナットと、レンズの一方主面側に当接する凹凸状ワッシャと、レンズの他方主面側に当接する凸状ワッシャと、凹凸状ワッシャと当接する鎧ないしブリッジの一方側の内面に形成された多数の溝からなる凹凸部とを有し、ナットを締め付けると、凹凸状ワッシャの凸部が鎧ないしブリッジの凹凸部とが食い込むことなく係合するものもある（例えば、特許文献２参照。）。
【０００３】
【特許文献１】特開２００３−１４８４３９号公報（第３−４頁、図１−図５）
【特許文献２】特開２００３−２８１２６号公報（第３−４頁、図１−図７）
【考案の開示】
【考案が解決しようとする課題】
【０００４】
しかしながら、上述した従来の縁無し眼鏡のレンズ取付構造（例えば、特許文献１参照。）では、その表裏面に突起が形成されていない、所謂、通常の平座金を用いたものに比べると、眼鏡フレームのヨロイとレンズとの間のがたつき、および、ブリッジとレンズとのがたつきが防止されるが、長期間にわたって使用した場合、ボルト，ナットの締結力の低下により、レンズとヨロイおよびブリッジとの連結部分に緩みやがたつきが発生する恐れがあった。
また、上述した従来の縁無し眼鏡のレンズ取付構造（例えば、特許文献２参照。）では、凹凸状ワッシャと当接する部位に、すなわち、鎧ないしブリッジの一方側の内面に多数の溝からなる凹凸部を形成する必要があるため、加工工程が増える等の手間のかかるものであった。そして、凹凸ワッシャの凸部と、鎧ないしブリッジの内面の凹凸部とは、食い込むのではなく、単に、係合するだけなので、固定強度も充分ではなかった。しかも、鎧ないしブリッジの内面に凹凸部が形成されていない眼鏡フレームには、適応させることができず、かえって、鎧ないしブリッジの内面と凹凸ワッシャの凸部との当接面積が少なくなるため、レンズとヨロイおよびブリッジとの連結部分に緩みやがたつきが発生する恐れがあった。
【０００５】
それゆえに、本願考案の主たる目的は、被締付け物どうしを相互に固定または相対的に動くのを強固に防止することができる、座金およびそれを用いた締め付け構造を提供することである。
【課題を解決するための手段】
【０００６】
請求項１にかかる本願考案は、挿入部を有する複数の被締め付け物に挿入されるねじ部材と、ねじ部材に螺合されるねじ螺合部材とを含む、ねじ山を用いた締め付け手段に用いられ、ねじ部材が複数の被締め付け物の挿入部に挿入された状態で、締め付け手段により締め付けられ結合される複数の被締め付け物の間、ねじ部材の頭部と被締め付け物との間、および、ねじ螺合部材と被締め付け物との間の内、少なくとも複数の被締め付け物の間に配置される座金であって、座金は、貫通孔を有する環状の座金本体と、座金本体の一方主面側で、且つ、被締め付け物に向いて配設される喰込爪と、座金本体の他方主面側で、かつ、ねじ部材が挿入される被締め付け物の挿入部に向いて配設される侵入片とを含み、ねじ部材が複数の被締め付け物の挿入部に挿入され、ねじ螺合部材および／またはねじ部材を締め付けたとき、喰込爪が、喰込爪と対向する被締め付け物に食い込むと共に、侵入片は、ねじ部材と被締め付け物の挿入部との間に侵入し、ねじ部材のねじ部と挿入部との間に食い込むようにしたことを特徴とする、座金である。
請求項２にかかる本願考案は、挿入部を有する複数の被締め付け物に挿入されるねじ部材と、ねじ部材に螺合されるねじ螺合部材と、ねじ部材が複数の被締め付け物の挿入部に挿入された状態で、締め付け手段により締め付けられ結合される複数の被締め付け物の間、ねじ部材の頭部と被締め付け物との間、および、ねじ螺合部材と被締め付け物との間の内、少なくとも複数の被締め付け物の間に配置される座金とを含み、座金は、貫通孔を有する環状の座金本体と、座金本体の一方主面側で、且つ、被締め付け物に向いて配設される喰込爪と、座金本体の他方主面側で、かつ、ねじ部材が挿入される被締め付け物の挿入部に向いて配設される侵入片とを含み、ねじ部材が複数の被締め付け物の挿入部に挿入され、ねじ螺合部材および／またはねじ部材を締め付けたとき、喰込爪が、喰込爪と対向する被締め付け物に食い込むと共に、侵入片は、ねじ部材と被締め付け物の挿入部との間に侵入し、ねじ部材のねじ部と挿入部との間に食い込むようにしたことを特徴とする、締め付け構造である。
請求項３にかかる本願考案は、縁なし眼鏡のレンズ締め付け構造に用いられる締め付け構造であって、レンズと、レンズの端縁近傍に配置され、レンズを貫通するレンズ孔と、レンズの一方主面側に配置され、レンズに締め付けられる智および／またはブリッジと、レンズ孔と連通可能なように智および／またはブリッジに配置される挿入孔と、レンズの一方主面側から智および／またはブリッジの挿入部およびレンズ孔に挿入されるねじ部材と、レンズの他方主面側から、ねじ部材に螺合されるねじ螺合部材と、レンズと智および／またはブリッジとの間、レンズとねじ螺合部材との間、および、ねじ部材と智および／またはブリッジとの間の内、少なくとも複数の被締め付け物の間に配置される座金とを含み、座金は、貫通孔を有する環状の座金本体と、座金本体の一方主面側で、且つ、被締め付け物に向いて配設される喰込爪と、座金本体の他方主面側で、かつ、ねじ部材が挿入される被締め付け物の挿入部に向いて配設される侵入片とを含み、ねじ部材が複数の被締め付け物の挿入部に挿入され、ねじ螺合部材および／またはねじ部材を締め付けたとき、喰込爪が、喰込爪と対向する被締め付け物に食い込むと共に、侵入片は、ねじ部材と被締め付け物の挿入部との間に侵入し、ねじ部材のねじ部と挿入部との間に食い込むようにしたことを特徴とする、締め付け構造である。
請求項４にかかる本願考案は、請求項３にかかる考案に従属される考案であって、ねじ螺合部材は、その内周面にねじ部を有する筒状の胴部と、胴部の軸方向の一端に配設され、胴部の径よりも大きい環状のフランジ部とを含み、胴部がレンズ孔に挿入され、ねじ部材のねじ部と胴部のねじ部とが螺合されることにより、智および／またはブリッジにレンズが締め付けられ固定されることを特徴とする、締め付け構造である。
請求項５にかかる本願考案は、請求項４にかかる考案に従属される考案であって、ねじ部材のねじ部は、ねじ山の頂に沿って設けられる溝部によって、ねじ山の頂に配設される弾性変形片を含み、ねじ部材のねじ部と胴部のねじ部とが螺合したときに、弾性変形片が胴部のねじ部のフランクに圧接されることを特徴とする、締め付け構造である。
【０００７】
［作用］
請求項１にかかる本願考案の座金は、挿入部を有する複数の被締め付け物に挿入されるねじ部材と、ねじ部材に螺合されるねじ螺合部材とを有する、ねじ山を用いた締め付け手段に用いられる。この場合、ねじ部材が複数の被締め付け物の挿入部に挿入される。その状態で、座金は、締め付け手段により締め付けられ結合される複数の被締め付け物の間、ねじ部材の頭部と被締め付け物との間、および、ねじ螺合部材と被締め付け物との間の内、少なくとも複数の被締め付け物の間に配置される。このとき、座金の喰込爪は、座金本体の一方主面側で、対向する被締め付け物に向いている。座金の侵入片は、座金本体の他方主面側で、ねじ部材が挿入される被締め付け物の挿入部に向いている。ねじ部材が複数の被締め付け物の挿入部に挿入され、ねじ螺合部材および／またはねじ部材を締め付けたとき、喰込爪が、喰込爪と対向する被締め付け物に食い込む。それと同時に、侵入片は、ねじ部材と被締め付け物の挿入部との間に侵入し、ねじ部材のねじ部に食い込む。
請求項２にかかる本願考案の締め付け構造では、ねじ部材が被締め付け物の挿入部に挿入される。ねじ部材には、ねじ螺合部材が螺合される。この場合、ねじ部材が複数の被締め付け物の挿入部に挿入された状態で、座金は、複数の被締め付け物の間、ねじ部材の頭部と被締め付け物との間、および、ねじ螺合部材と被締め付け物との間の内、少なくとも複数の被締め付け物の間に配置される。このとき、座金の喰込爪は、座金本体の一方主面側で、対向する被締め付け物に向いている。座金の侵入片は、座金本体の他方主面側で、ねじ部材が挿入される被締め付け物の挿入部に向いている。この状態で、ねじ螺合部材および／またはねじ部材を締め付けたとき、喰込爪は、喰込爪と対向する被締め付け物に食い込み、それと同時に、侵入片は、ねじ部材と被締め付け物の挿入部との間に侵入し、ねじ部材のねじ部に食い込む。
請求項１および請求項２にかかる本願考案では、従来の技術（例えば、特許文献１および特許文献２参照。）と比べて、特に、侵入片が被締め付け物に挿入されたねじ部材のねじ部に食い込むので、ねじ部材自体も被締め付け物に強固に固定される。そのため、被締付け物どうしを相互に強固に固定することができ、また、被締付け物どうしが相対的に動くのを防止することができる。したがって、被締め付け物のゆるみやガタツキの恐れがない。
請求項３かかる本願考案の締め付け構造は、特に、縁なし眼鏡のレンズ締め付け構造に用いられ、ねじ部材とねじ螺合部材と座金とによって、レンズと、智および／またはブリッジとが、締め付けられて結合される。この場合、ねじ部材は、レンズの一方主面側から智および／またはブリッジの挿入部およびレンズ孔に挿入される。ねじ螺合部材は、レンズの他方主面側からねじ部材に螺合される。また、座金は、レンズと智および／またはブリッジとの間、レンズとねじ螺合部材との間、および、ねじ部材と智および／またはブリッジとの間の内、少なくともレンズと智および／またはブリッジとの間に配置される。このとき、座金の喰込爪は、座金本体の一方主面側で、対向する智および／またはブリッジに向いている。また、座金の侵入片は、座金本体の他方主面側で、ねじ部材が挿入される智および／またはブリッジの挿入部に向いている。この状態で、ねじ螺合部材および／またはねじ部材を締め付けたとき、喰込爪は、喰込爪と対向するレンズないし智および／またはブリッジに食い込む。それと同時に、侵入片は、ねじ部材と、智および／またはブリッジの挿入部との間に、侵入し、ねじ部材のねじ部に食い込む。
請求項３にかかる本願考案の締め付け構造では、従来の技術（例えば、特許文献１および特許文献２参照。）と比べて、特に、侵入片が智および／またはブリッジの挿入部に挿入されたねじ部材のねじ部に食い込むので、ねじ部材自体も智および／またはブリッジに強固に固定される。すなわち、智および／またはブリッジとレンズとが相互に強固に固定することができ、また、智および／またはブリッジとレンズとが相対的に動くのを防止することができる。したがって、智および／またはブリッジとレンズとのゆるみやガタツキの恐れがない。
請求項４にかかる本願考案では、ねじ螺合部材の胴部がレンズ孔に挿入され、ねじ部材のねじ部と胴部のねじ部とが螺合されることにより、智および／またはブリッジにレンズが締め付けられ固定される。この場合、従来の技術（例えば、特許文献１および特許文献２参照。）と比べて、ねじ部材のねじ部とねじ螺合部材の胴部のねじ部との螺合面積が大きくとれる。さらに、請求項４にかかる本願考案では、ねじ螺合部材の胴部がレンズ孔の内周面に当接され、ねじ螺合部材のフランジ部がレンズの他方主面に当接して係止されるので、ねじ部材とねじ螺合部材とが締め付けられた場合、ねじ螺合部材とレンズとの当接・結合面積が大きくとれる。したがって、レンズと智および／またはブリッジとの締め付け強度が強固なものとなる。
請求項５にかかる本願考案では、ねじ部材のねじ部とねじ螺合部材の胴部のねじ部とが螺合されたときに、弾性変形片が胴部のねじ部のフランクに圧接される。この場合、溝部によってねじ山の頂部が分断されてなる弾性変形片が、胴部のねじ部のフランクに圧接される。弾性変形片は、胴部のねじ山間で溝部が縮まる方向に弾性変形するが、このとき、弾性変形片の復元力（反発力）によって、胴部のねじ山のフランク面を押圧する。そのため、請求項５にかかる本願考案では、従来の技術（例えば、特許文献１および特許文献２参照。）と比べて、ねじ部材のねじ部とねじ螺合部材のねじ部との固着力が強固なものとなり、延いては、レンズと智および／またはブリッジとの締め付け強度がより一層高められる。
【考案の効果】
【０００８】
本願考案によれば、被締付け物どうしを相互に固定または相対的に動くのを強固に防止することができる、座金およびそれを用いた締付け構造が得られる。
【０００９】
この考案の上述の目的、その他の目的、特徴および利点は、図面を参照して行う以下の考案を実施するための最良の形態の説明から一層明らかとなろう。
【考案を実施するための最良の形態】
【００１０】
図１は、本願考案にかかる座金およびそれを用いた締め付け構造が適用された縁なし眼鏡のレンズ締め付け構造の一例を示す要部斜視図であり、図２は、図１に示す縁なし眼鏡のレンズ締め付け構造の分解断面図解図であり、図３は、図１の要部を示す断面図およびその部分拡大図である。
縁なし眼鏡のレンズ締め付け構造１０は、所望の玉形形状のレンズ１２を含む。レンズ１２は、合成樹脂材料等で形成される。レンズ１２は、該レンズ１２の端縁近傍に、たとえば正面視円形のレンズ孔１４を有する。レンズ孔１４は、レンズ１２の一方主面から他方主面にかけて貫通するものである。レンズ孔１４の孔径φは、たとえば２．０ｍｍ〜２．２ｍｍ程度に形成される。
【００１１】
レンズ１２には、特に、たとえば図１に示すように、テンプルＴにつながるフロント両側の智１６およびフロント中央のブリッジ（図示せず）が取付けられて固定される。レンズ１２の一方主面側（レンズ１２の正面側）には、レンズ１２に智１６およびブリッジ（図示せず）を締め付けて固定するためのねじ部材１８が配置される。また、レンズ１２の他方主面側（レンズ１２の背面側）には、レンズ孔１４に挿入され、ねじ部材１８に螺合されるねじ螺合部材２０が配置される。この場合、レンズ１２、智１６およびブリッジ（図示せず）が被締め付け物として配置され、ねじ山を用いた締め付け手段として、ねじ部材１８およびねじ螺合部材２０が配置される。
【００１２】
以下には、レンズ１２と智１６との締め付け構造について詳細に説明する。
すなわち、智１８には、レンズ孔１４に対応しレンズ孔１４と連通可能となる位置に、ねじ部材１８の挿入部として、例えば正面視円形の挿入孔２２が配設される。挿入孔２２は、智１６の一方主面から他方主面にかけて貫通するものである。挿入孔２２の孔径φは、たとえば１．４５ｍｍ〜１．５０ｍｍ程度に形成される。また、挿入孔２２には、智１６の他方主面側、この場合、智１６とレンズ１２との対向面側には、挿入孔２２の周縁部に面取り部２４が形成される。
【００１３】
さらに、レンズ１２と智１６との間には、特に、図２に示すように、座金２６が配置される。この場合、座金２６は、後述する喰込爪３２がレンズ１２の一方主面側に向くように、レンズ１２と智１６との間に配置される。座金２６は、たとえば図４および図６に示すように、その中央に円形の貫通孔２８を有する円盤状の座金本体３０を含む。座金本体３０の一方主面側の外周縁部には、たとえば８つの喰込爪３２が所定の間隔を隔てて配設される。各喰込爪３２は、それぞれ、たとえば断面３角形状の爪片に形成される。各喰込爪３２は、それぞれ、その先端部がレンズ１２の一方主面側に向くように形成される。各喰込爪３２は、特に、たとえば図２に示すように、それぞれ、座金本体３０の外周端縁から斜め下方に向いて延び設けられる。なお、この喰込爪３２の数は、８つに限定されるものではなく、１つ以上形成されていればよい。
【００１４】
さらに、座金本体３０の他方主面側の内周縁部には、たとえば４つの侵入片３４が所定の間隔を隔てて配設される。各侵入片３４は、それぞれ、たとえば断面矩形状の突起部に形成され、特に、たとえば図２および図５に示すように、斜め上方に延び設けられる。各侵入片３４は、それぞれ、智１６の挿入孔２２に向いて形成される。各侵入片３４は、それぞれ、座金本体３０の内周端縁から挿入孔２２に向いて斜め上方に延び設けられる。
なお、座金本体３０、各喰込爪３２および各侵入片３４は、たとえば金属材料で一体的に形成される。
【００１５】
レンズ１２と智１６とは、ねじ部材１８およびねじ螺合部材２０によって固定される。この場合、ねじ部材１８が、レンズ１２の一方主面側（レンズ１２の正面側）から智１６の挿入孔２２およびレンズ孔１４に挿入され、ねじ螺合部材２０が、レンズの他方主面側（レンズ１２の背面側）からレンズ孔１４に挿入される。そして、ねじ部材１８とねじ螺合部材２０とが螺合・締結されることによって、レンズ１２と智１６とが締め付けられて結合される。
【００１６】
そこで、次に、ねじ部材１８およびねじ螺合部材２０について、特に、たとえば図２および図３を参照しながら詳細に説明する。
ねじ部材１８は、その外周面に雄ねじからなるねじ部３６ａを有する軸部３６を含む。軸部３６の軸方向の一端には、すりわり部３８ａを有する頭部３８が一体的に配設される。頭部３８の径は、軸部３６の径よりも大きく形成される。軸部３６の径は、たとえば１．４ｍｍ前後に形成される。
【００１７】
また、ねじ部材１８のねじ部３６ａには、特に、たとえば図３に示すように、ねじ山の頂に、たとえば１つの断面Ｖ字形の溝部４０が配設される。溝部４０は、ねじ山の頂に沿って設けられ、それによって、ねじ部３６ａのねじ山の頂には、２つの弾性変形片４２が形成される。
【００１８】
ねじ部材１８としては、たとえば、金属材料からなる十字穴付き小ねじのねじ山に弾性変形片４２を形成したものが用いられる。ねじ部材１８としては、上述のものに限定されるものではなく、十字穴以外のすりわり形状を有するすりわり付き小ねじや止めねじ等のねじ山に弾性変形片４２を形成したもの、あるいは、六角ボルト，四角ボルト等のねじ山に弾性変形片４２を形成したものを用いてもよく、また、材質も金属製以外に、樹脂製のものも用いることができる。
【００１９】
ねじ螺合部材２０は、その内周面に雌ねじからなるねじ部４４ａを有する円筒状の胴部４４を含む。胴部４４の軸方向の一端には、その内周面に雌ねじからなるねじ部４６ａを有する環状のフランジ部４６が形成される。フランジ部４６は、胴部４４の外径よりも大きい外径を有する。フランジ部４６がたとえば六角ナットで形成され、胴部４４とフランジ部４６とは、金属材料で一体的に形成される。この場合、胴部４４のねじ部４４ａとフランジ部４６のねじ部４６ａとは、同じ雌ねじ構造を有し、連続（連接）して一体的に形成される。つまり、胴部４４のねじ部４４ａとフランジ部４６のねじ部４６ａとは、胴部４４およびフランジ部４６をその軸方向に貫通する雌ねじにより形成される。
【００２０】
また、胴部４４のねじ部４４ａとフランジ部４６のねじ部４６ａには、ねじ部材１８と同様の構造を有する弾性変形片５０が配設される。すなわち、胴部４４のねじ部４４ａおよびフランジ部４６のねじ部４６ａは、それぞれ、特に、たとえば図３に示すように、ねじ山の頂に、たとえば１つの断面Ｖ字形の溝部４８が配設される。溝部４８は、ねじ山の頂に沿って設けられ、それによって、ねじ部４４ａおよび４６ａのねじ山の頂には、２つの弾性変形片５０が形成される。
【００２１】
なお、フランジ部４６のねじ部４６ａとしては、上述のものに限定されるものではなく、四角ナット、その他の多角形状のナットを用いてもよく、また、材質も金属製以外に、樹脂製のものも用いることができる。また、胴部４４の径は、レンズ孔１４の孔径よりもわずかに小さく形成され、胴部４４の軸方向の長さ（首下の長さ）は、たとえば１．３ｍｍ〜２．０ｍｍ程度に形成される。フランジ部４６の軸方向の厚みは、たとえば０．７ｍｍに形成される。この場合、胴部４４の軸方向の長さ（首下の長さ）は、レンズ１２の厚みにより適宜変更され得るが、少なくとも１．０ｍｍ以上あれば、ねじ部材１８およびねじ螺合部材２０の緩み止め効果が充分に得られるものである。
【００２２】
図１〜図３に示す締め付け構造１０では、レンズ１２の一方主面側から、ねじ部材１８が智１６の挿入孔２２およびレンズ１２のレンズ孔１４に挿入され、さらに、レンズ１２の他方主面側から、ねじ螺合部材２０がレンズ１２のレンズ孔１４に挿入され、ねじ部材１８に螺合されることによって、レンズ１２と智１６とが締め付けられる。この場合、レンズ１２と智１６との間には、座金２６が配置された状態で締め付けられる。
【００２３】
このとき、座金２６の複数の喰込爪３２は、レンズ１２の一方主面側に押圧され、喰込爪３２の先端部がレンズ１２の一方主面に食い込む。さらに、座金２６の複数の侵入片３４は、智１６の挿入孔２２に挿入されたねじ部材１８と挿入孔２２の内壁面との間に侵入し、ねじ部材１８のねじ部３６ａに食い込む。したがって、この締め付け構造１０では、座金２６の一方側がレンズ１２に食い込んで強固に固着されると共に、座金２６の他方側がねじ部材１８と智１６の挿入孔２２との間に食い込んで、ねじ部材１８自体も智１６に強固に固着される。そのため、レンズ１２と智１６とは、極めて強固に締め付けられて固定されることになる。なお、この締め付け構造１０では、特に、図２に示すように、智１６が、レンズ１２の一方主面と対向する側の挿入孔２２の周縁端部に面取り部２４を有するため、座金２６の侵入片３４がねじ部材１８と挿入孔２２との間に挿入されやすいものとなる。
【００２４】
この場合、締め付け構造１０は、従来の技術（例えば、特許文献１および特許文献２参照。）と比べて、ねじ部材１８のねじ部３６ａとねじ螺合部材２０の胴部４４のねじ部４４ａ，フランジ部４６のねじ部４６ａとの螺合面積が大きくとれる。しかも、ねじ螺合部材の２０胴部４４がレンズ孔１４の内周面に当接され、ねじ螺合部材２０のフランジ部４６がレンズ１２の他方主面に当接して係止されるので、ねじ部材１８とねじ螺合部材２０とが締め付けられたとき、ねじ螺合部材２０とレンズ１２との当接・結合面積が大きくとれる。したがって、レンズ１２と智１６およびとの締め付け強度が強固なものとなる。
【００２５】
さらに、この締め付け構造１０では、ねじ部材１８のねじ部３６ａとねじ螺合部材２０のねじ部４４ａ，４６ａとが螺合されたとき、特に、たとえば図３の部分拡大図に示すように、ねじ部材１８の弾性変形片４２がねじ螺合部材２０のねじ部４４ａ，４６ａの隣合うフランク（ねじ山の頂きと谷底とを連絡する面）に圧接される。すなわち、弾性変形片４２が、ねじ螺合部材２０のねじ部４４ａ，４６ａのねじ山間で溝部４０が縮まる方向に弾性変形する。このとき、弾性変形片４２は、その復元力（反発力）によって、ねじ螺合部材２０のねじ部４４ａ，４６ａの隣合うフランク面（ねじ山の頂きと谷底とを連絡する面）を押圧する。
【００２６】
同様にして、ねじ螺合部材２０の弾性変形片５０がねじ部材１８のねじ部３６ａの隣合うフランク面（ねじ山の頂きと谷底とを連絡する面）に圧接される。すなわち、弾性変形片５０が、ねじ部材１８のねじ部３６ａのねじ山間で溝部４８が縮まる方向に弾性変形する。このとき、弾性変形片５０は、その復元力（反発力）によって、ねじ部材１８のねじ部３６ａの隣合うフランク面（ねじ山の頂きと谷底とを連絡する面）を押圧する。
したがって、この締め付け構造１０では、レンズ１２と智１６との固着・締結力が極めて強固なものとなり、レンズ１２および智１６の緩みやがたつきを防止することができる。
【００２７】
なお、上述した締め付け構造１０では、たとえば図２，図３に示すように、レンズ１２の一方主面側から挿入されたねじ部材１８の軸部３６の軸方向の先端部が、レンズ１２の他方主面側からねじ螺合部材２０のフランジ部４６から突出する長さに形成されたが、突出したねじ部材１８の軸部３６部分は、適宜切断されることが好ましく、また、軸部３６の軸方向の長さは、智１６の厚みとレンズ１２の厚みとねじ螺合部材２０の軸方向の長さ（胴部４４の軸方向の長さおよびフランジ部４６の厚み）を加えた長さよりもわずかに短く形成されることがさらに好ましいものである。
この場合、ねじ部材１８の軸部３６がねじ螺合部材２０のフランジ部４６から突き出ない構造を有するので、眼鏡を掛けているときの安全性が脅かされたり、レンズ１２の特に背面側を清掃用布等で拭くときに、ねじ部材１８の軸部３６の突出部で清掃用布等を破損させてしまう恐れもない。
【００２８】
上述した締め付け構造１０では、座金２６の侵入片３４が座金本体３０の内周端縁で且つその周方向に所定の間隔を隔てて配設されたが、侵入片３４は、たとえば図７に示すように、座金本体３０の内周端縁に沿ってその全周域に配設されてもよい。
【００２９】
また、上述した締め付け構造１０では、座金２６の複数の侵入片３４が同じ高さに形成され、且つ、各侵入片３４が均一な高さに形成されるが、特に、図８に示すように、たとえばスパイラル状にねじれている複数の突起部５２ａ，５２ｂ，５２ｃ，５２ｄによって、侵入片５２が形成されてもよい。この場合、複数の突起部５２ａ，５２ｂ，５２ｃ，５２ｄは、座金本体３０の内周端縁に所定の間隔を隔てて配設される。さらに、この侵入片５２は、複数の突起部５２ａ，５２ｂ，５２ｃ，５２ｄが、たとえば図９に示すように、座金本体３０の内周端縁に沿って、間隔を隔てることなく、連続して形成されてもよい。
図８および図９に示す侵入片５２は、複数の突起部５２ａ，５２ｂ，５２ｃ，５２ｄがスパイラル状にねじれた構造を有するため、座金２６の侵入片３４がねじ部材１８と挿入孔２２との間に挿入されやすいものとなる上、侵入片５２がねじ部材１８のねじ部３６ａにより一層食い込むやすいものとなる。
【００３０】
また、上述した締め付け構造１０では、座金２６の複数の侵入片３４が断面矩形状の突起部に形成されたが、侵入片３４の形状はそれに限定されるものではなく、たとえば図１０に示すように、断面３角形状の突起部３４であってもよく、さらに、たとえば図１１に示すように、断面半円状の突起部３４であってもよく、その形状は適宜変更可能である。
【００３１】
さらに、上述した締め付け構造１０では、座金２６の複数の侵入片３４が、図２および図５等に示すように、座金本体３０に対して、斜め下方で且つ外方に広がるように形成されたが、侵入片３４は、たとえば図１２，図１３に示すように、座金本体３０に対して、略直角に下方に延び設けられるように形成されてもよい。図１２，図１３に示す座金２６を上述した締め付け構造１０に用いると、ねじ部材１８およびねじ螺合部材２０でレンズ１２と智１６とが締め付けられた場合の摩耗による侵入片３４の先端部のへたり（機械的表面損傷）を比較的少なくすることができる。そのため、図１２，図１３に示す座金２６では、図４〜図６等に示す座金２６と比べて、その使用回数を多くすることができる。
【００３２】
また、図１〜図３で示した締め付け構造１０では、智１６がレンズ１２の一方主面側（正面側）に配置されたが、智１６は、たとえば図１４に示すように、レンズ１２の他方主面側（背面側）に配置されてもよい。この場合、座金２６は、レンズ１２の他方主面側（背面側）と智１６との間で、喰込爪３２がレンズ１２の他方主面側（背面側）に向き、侵入片３４が智１６の挿入孔１６側に向くように配置される。そして、ねじ部材１８がレンズ１２の一方主面側（正面側）から挿入され、ねじ螺合部材２０がレンズ１２の他方主面側（背面側）からねじ部材１８のねじ部３６ａに螺合される。
さらに、図１〜図３で示した締め付け構造１０では、座金２６がレンズ１２の一方主面側と智１６との間に配置されたが、それ以外に、たとえばレンズ１２の他方主面側とねじ螺合部材２０との間、あるいは、ねじ部材１８と智１６との間に、配置されるようにしてもよい。
なお、図１４に示す締め付け構造１０では、ねじ螺合部材２０として、所謂、６角ナット等のナットが用いられる。この場合、ねじ螺合部材２０から突出したねじ部材１８の軸部３６部分は、適宜切断されることが好ましい。
【００３３】
図１〜図３および図１４に示した各締め付け構造１０では、上述した構造を有することによって、レンズ１２と智１６とを強固に締め付けて結合させることができるので、レンズを固定するためのレンズ横当て部が不要となる。そのため、レンズ横当て部用の特定の玉形形状のレンズ以外にも、適宜、所望の玉形形状のレンズに適用することができる。また、特定のフレームを選択する必要がなく、フレームデザインの幅も広がる。さらに、レンズ１２、智１６、ねじ部材１８、ねじ螺合部材２０等の眼鏡部品の加工作業も、特別な設備および加工手順も不要なので、簡単に行なうことができ、加工ロスも削減される。
【００３４】
なお、上述した各締め付け構造１０では、主として、縁なし眼鏡のレンズ１２と、智１６との締め付け構造について説明したが、本願考案にかかる締め付け構造１０は、たとえばレンズ１２とブリッジとの締め付け構造についても、当然、適用され得るものである。また、本願考案にかかる締め付け構造１０は、智１６およびブリッジの内の少なくとも一方側とレンズ１２との締め付け構造に適用するようにしてもよい。
【産業上の利用可能性】
【００３５】
本願考案にかかる座金およびそれを用いた締付け構造は、構造部材または機械部品を相互に固定したり、または、それらが相対的に動くのを防止するための装置として用いることができ、特に、たとえば縁なし眼鏡のフレームの智および／またはブリッジ（被締付け物）と、レンズ（被締付け物）とを相互に固定したり、あるいは、それらが相対的に動くのを防止することができる、縁なし眼鏡のレンズ締め付け構造に用いて好適なものである。
【図面の簡単な説明】
【００３６】
【図１】本願考案にかかる座金およびそれを用いた締め付け構造が適用された縁なし眼鏡のレンズ締め付け構造の一例を示す要部斜視図である。
【図２】図１に示す縁なし眼鏡のレンズ締め付け構造の分解断面図解図である。
【図３】図１の要部を示す断面図およびその部分拡大図である。
【図４】本願考案にかかる座金の一例を示す平面図である。
【図５】図４の正面図である。
【図６】図４，図５に示す座金の斜視図である。
【図７】本願考案にかかる座金の他の例を示す斜視図である。
【図８】本願考案にかかる座金のさらに他の例を示す斜視図である。
【図９】本願考案にかかる座金のさらに他の例を示す斜視図である。
【図１０】本願考案にかかる座金のさらに他の例を示す斜視図である。
【図１１】本願考案にかかる座金のさらに他の例を示す斜視図である。
【図１２】本願考案にかかる座金のさらに他の例を示す平面図である。
【図１３】図１２の正面図である。
【図１４】本願考案にかかる座金およびそれを用いた締め付け構造が適用された縁なし眼鏡のレンズ締め付け構造の他の例を示す要部断面図である。
【符号の説明】
【００３７】
１０  締め付け構造
１２  レンズ
１４  レンズ孔
１６  智
１８  ねじ部材
２０  ねじ螺合部材
２２  挿入孔
２４  面取り部
２６  座金
２８  座金の貫通孔
３０  座金本体
３２  喰込爪
３４  侵入片
３６  軸部
３６ａ  ねじ部
３８  頭部
３８ａ  すりわり部
４０，４８  溝部
４２，５０  弾性変形片
４４  胴部
４４ａ  ねじ部
４６  フランジ部
４６ａ  ねじ部
５２ａ，５２ｂ，５２ｃ，５２ｄ  突起部
Ｔ  テンプル
【図１】
0003101302.tif 000003
【図２】
0003101302.tif 000004
【図３】
0003101302.tif 000005
【図４】
0003101302.tif 000006
【図５】
0003101302.tif 000007
【図６】
0003101302.tif 000008
【図７】
0003101302.tif 000009
【図８】
0003101302.tif 000010
【図９】
0003101302.tif 000011
【図１０】
0003101302.tif 000012
【図１１】
0003101302.tif 000013
【図１２】
0003101302.tif 000014
【図１３】
0003101302.tif 000015
【図１４】
0003101302.tif 000016